(57)【特許請求の範囲】
【請求項１】
所定の円周軌跡上を循環移動する定着ベルトと、該定着ベルトに対向して設けられた加圧部材とを備え、これら定着ベルトと加圧部材とで挟まれる定着ニップ部に、未定着画像が形成された記録紙を送り込んで通過させることにより、熱と加圧力を加えて未定着画像を記録紙に定着させる定着装置において、前記定着ニップ部よりも上流側に記録紙の先端を検知する先端検知手段を設けるとともに、前記定着ベルトの前記定着ニップ部よりも下流側外周部を押圧して当該定着ベルトの外周部を凹ませる押圧部材と、前記押圧部材の近傍で記録紙を前記定着ベルトから分離する方向に案内する分離部材とを設け、前記先端検知手段の検知結果に基づいて、これら押圧部材と分離部材の位置を前記定着ベルトから離れた待機位置から定着ベルトを凹ませて記録紙の巻き付きを防止する作動位置へ切り替えるように構成したことを特徴とする定着装置。
【請求項２】
記録紙の印字率を検知する印字率検知手段が設けられ、前記先端検知手段が記録紙の先端を検知し、かつ当該記録紙の印字率が所定値よりも高いときのみ、前記押圧部材と前記分離部材とを作動位置に移行させるように構成した請求項１に記載の定着装置。
【請求項３】
前記定着ベルトが、無端状の金属製スリーブからなる基材の表面に離型層が形成されたフレキシブルなベルトである請求項１又は２に記載の定着装置。
【請求項４】
前記押圧部材が、定着ベルトに接触して回転する回転体である請求項１乃至３のいずれかに記載の定着装置。
【請求項５】
前記押圧部材の外周部に溝状凹部が全周にわたって形成され、前記分離部材が、当該溝状凹部に嵌り込んだ状態で設けられている請求項４に記載の定着装置。
【請求項６】
請求項１乃至５のいずれかに記載の定着装置を備えた画像形成装置。
【発明の詳細な説明】
【技術分野】
【０００１】
本発明は、複写機等の画像形成装置において、トナー画像を記録紙に定着させるために使用される定着装置に関するものである。
【背景技術】
【０００２】
電子写真方式による複写機、プリンタ、ファクシミリ等の画像形成装置において、像担持体である感光ドラム上に形成されたトナー画像を転写材（被記録体）である記録紙に転写し、これに熱と圧力を加えて記録紙に定着する方法が採用されている。
【０００３】
この定着方法は、循環移動する無端状の定着ベルトに対向させた加圧部材（通常はローラである）を設け、これら定着ベルトと加圧部材に挟まれる定着ニップ部に未定着の記録紙を導入して通過させつつ、熱と圧力を加えて、トナー画像を記録紙に定着させるものである。
【０００４】
ところで、この種の従来の定着装置では、加熱により、トナーが接着剤として作用し、定着後の記録紙が定着ベルトに付着して該定着ベルトに巻き取られ、適正な搬送が行われなくなるというトラブル（ジャム）が発生することが多かった。このような記録紙の定着ベルトへの付着の問題を解決するため、従来は、複数の分離爪や分離シート等の分離部材を定着ベルトに接触又は離間させて設け、これによって定着後の記録紙を定着ベルト表面から分離することにより、定着ベルトに巻き付くことを防止している。
【０００５】
しかしながら、上記従来の方法において、分離部材を定着ベルトに接触させて設けた場合は、分離部材にトナーが付着し、固着したトナーによって分離部材の先端が定着ベルトから浮き上がることがあった。このように、分離部材が定着ベルトから浮き上がってしまうと、定着ベルトと分離部材先端との間にギャップが生じて、そこに記録紙が入り込み、ジャムを引き起こすおそれがあった。また、分離部材と定着ベルトとを接触させず、予め離間させて設けておいた場合は、両者の隙間に記録紙が入り込んでジャムを起こすという問題もあった。
【０００６】
上記従来の巻き付き防止策を改良するものとして、定着ベルトの内周面側に、分離のための曲率形成部材と分離回転体を設けることも提案されている（特許文献１参照）。この巻き付き防止法は、定着ベルトと、該定着ベルトが巻回される支持ローラとの間に、定着ベルトを支持ローラ外周面から離間させるベルトガイドを設け、ニップ部の下流側で該定着ベルトを大きな曲率で湾曲させることにより、記録媒体を分離しやすくするものである。同文献には、さらに、定着ベルトに付着した記録媒体を分離する分離回転体を設けた形態も記載されている。
【特許文献１】特開２００３−３０７９５６号公報
【発明の開示】
【発明が解決しようとする課題】
【０００７】
しかしながら、上記特許文献１に開示されているように、定着ベルトと支持ローラとの間に、該定着ベルトを支持ローラ外周面から離間させるベルトガイド（円柱状の回転体が例示されている）を設ける方法では、定着ベルトを支持ローラに巻回し、かつ部分的に当該支持ローラから離間させなければならないので、弛み防止等のために、テンションローラ等のローラが別途必要であり、構造的に複雑で、必要なスペースが大きくなるという問題点が生じるおそれがある。
【０００８】
そこで本願発明は、比較的簡単かつコンパクトな構成で、定着ベルトへの記録紙の巻き付きを効果的に防止できるようにすることを課題としている。
【課題を解決するための手段】
【０００９】
本発明は、上記課題を解決するため、次のような構成を採用した。すなわち、第１の本発明の定着装置は、所定の円周軌跡上を循環移動する定着ベルトと、該定着ベルトに対向して設けられた加圧部材とを備え、これら定着ベルトと加圧部材とで挟まれる定着ニップ部に、未定着画像が形成された記録紙を送り込んで通過させることにより、熱と加圧力を加えて未定着画像を記録紙に定着させる定着装置において、前記定着ニップ部よりも上流側に記録紙の先端を検知する先端検知手段を設けるとともに、前記定着ベルトの前記定着ニップ部よりも下流側外周部を押圧して当該定着ベルトの外周部を凹ませる押圧部材と、前記押圧部材の近傍で記録紙を前記定着ベルトから分離する方向に案内する分離部材とを設け、前記先端検知手段の検知結果に基づいて、これら押圧部材と分離部材の位置を、前記定着ベルトから離れた待機位置から該定着ベルトを凹ませて記録紙の巻き付きを防止する作動位置へ切り替えるように構成したことを特徴としている。
【００１０】
第２の本発明は、上記題の本発明において、記録紙の印字率を検知する印字率検知手段を設け、前記先端検知手段が記録紙を検知し、かつ記録紙の印字率が所定値よりも高いときにのみ、前記押圧部材と前記分離部材とを作動位置に移行させるようにしたものである。また、第３の本発明は、前記定着ベルトが、無端状の金属製スリーブからなる基材の表面に離型層が形成されたフレキシブルなベルトであることを特徴とするものである。第４の本発明は、上記押圧部材が、定着ベルトに接触して回転する回転体であるものである。また、第５の本発明は、前記第４の本発明において、さらに、前記押圧部材である回転体の外周部に溝状凹部が全周にわたって形成され、前記分離部材が、当該溝状凹部に嵌り込んだ状態で設けられているものである。また、第６の本発明は、第１乃至５のいずれかの定着装置を備えた画像形成装置である。
【発明の効果】
【００１１】
本願発明によれば、比較的コンパクトな構成で、定着ベルトへの記録紙の巻き付きを効果的に防止できるようになる。しかも、構造的に簡単で、大きな力が作用せず、摩耗等のおそれも少ないので、耐久性にすぐれたものとなった。
【発明を実施するための最良の形態】
【００１２】
以下、本発明に係る定着装置を備えた画像形成装置の実施形態について具体的に説明する。図１は画像形成装置である複写機の構成を例示するものである。この画像形成装置１は、像担持体である感光ドラム２を備え、その下側に記録紙（転写材）Ｓを搬送する転写ベルト３が設けられている。感光ドラム２は、金属ドラムの表面に感光体の層を被覆したもので、例えばＡ−ＳＩ感光体を使用した直径８０ｍｍのドラムであり、図の矢印Ａ方向に回転する。
【００１３】
感光ドラム２の外周部には、当該感光ドラム２の表面を一様に帯電させる主帯電器４と、感光用のレーザ光を照射するレーザ照射装置５と、現像器７とが回転方向に沿って順に配置されている。なお、感光ドラム２とベルト３で搬送される記録紙Ｓとが接する位置（転写部）Ｔよりも感光ドラム２の回転方向下流側には、ドラムクリーナ９と感光ドラム２用の除電器１０が設けられている。
【００１４】
レーザ照射装置５は、レーザ発光部と、ミラー、レンズ等の光学装置を備え、図示を省略したＣＣＤカメラからの画像信号に応じて感光ドラム２の表面にレーザ光を照射し、当該感光ドラム表面上に静電潜像を形成するものである。
【００１５】
現像器７は、感光ドラム２表面に形成されている潜像にトナーを付着させてトナー像とするためのもので、トナー容器内のトナーを適量づつ感光ドラム表面に供給し、このトナーを感光ドラム２表面の帯電している部分にのみ付着させる。
【００１６】
転写ベルト３は、駆動ローラ１２と従動ローラ１３との間に張架された無端ベルトであり、抵抗制御されたＮＢＲの基材を備え、表面の記録紙吸着性を向上させるとともに、表面のトナー離型性を確保するために、高抵抗のウレタンバインダに分散されたＰＴＦＥのコーティングが施されている。
【００１７】
上記駆動ローラ１２と従動ローラ１３とは、回転軸が互いに平行に支持されるとともに、感光ドラム２の軸とも平行に設けられている。駆動ローラ１２を回転駆動すると、転写ベルト３が所定速度で所定方向（図の矢印Ｂ方向）に循環走行する。感光ドラム２の回転速度（周速Ｖ２）と駆動ローラ１２の回転速度（周速Ｖ１２）、及び転写ベルト３の移動速度（Ｖ３）と当該転写ベルト３上に吸着保持されている転写材Ｓの移動速度（Ｖｓ）は、全て等しくなるように設計されている（Ｖ２＝Ｖ１２＝Ｖ３＝Ｖｓ）。なお、これら駆動ローラ１２と従動ローラ１３の他にも、転写ベルト３に付着する余計なトナーを除去するためのベルトクリーナ１４が駆動ローラ１２よりもベルト移動方向下流側に設けられている。また、転写ベルト３の転写部Ｔよりも移動方向上流側には、当該ベルトに帯電させて記録紙Ｓを静電吸着させるためのベルト帯電器１８が設けられ、転写位置よりも下流側の、駆動ローラ１２の直前部には、転写ベルトの帯電を除去するための除電器１９が設けられている。
【００１８】
前記転写ベルト３を挟んで感光ドラム２と対向する位置には、バイアス印加用転写ローラ１５が設けられている。この転写ローラは、感光ドラム２表面のトナーと逆極性の電荷を転写ベルト３に与え、この電荷によって感光ドラム２上のトナー像を転写ベルト３表面の記録紙Ｓに転写させるためのもので、高圧電源１６から高電圧が印加されるとともに、バネ１７で転写ベルト３裏面に押し付けられるようになっている。
【００１９】
駆動ローラ１２から外れた記録紙Ｓの搬送方向下流側には本発明に係る定着装置１００が設けられている。
【００２０】
この定着装置１００は、定着ベルト１０２と加圧部材である加圧ローラ１０３とを備えている。定着ベルト１０２は、無端状に形成されたフレキシブルなベルトであり、その材質としては、適度の剛性と弾性を備えた材質、例えば帯状の薄い金属（ニッケル、ステンレス鋼等）の表面にフッ素コーティングを施したもの等を使用できる。
【００２１】
図２は、上記実施形態において、待機状態における定着装置の構成を模式的に表す正面図である。また、図３は、上記実施形態において、作動状態に置ける定着装置の構成を模式的に表す正面図である。また、図４は、上記実施形態における定着装置の斜視図である。
【００２２】
環状の定着ベルト１０２の内側には、バックアップ部材１０４が配置されている。バックアップ部材１０４は、定着ベルト１０２の幅と同じ長さに形成されていて、円弧状の外周面１０４ａを有し、その両端部１０４ｂ，１０４ｂは直線状となっている。バックアップ部材１０４は、フレキシブルな定着ベルト１０２の前記加圧ローラ１０３に対向する部分の曲面を所定の曲率の円周面として維持し、定着ニップ部を確保するためのもので、適度の剛性を有する材質で作られている。
【００２３】
定着ベルト１０２は、図２に示すように概略円周状の軌跡上を循環移動するようになっており、その内部には、加熱用のヒータ１０５が設置されている。ヒータ１０５は、記録紙Ｓ上のトナーを溶融して当該記録紙に確実に付着させるためのもので、このヒータ１０５としては、例えばハロゲンランプ等が用いられる。
【００２４】
加圧ローラ（加圧部材）１０３は、図示を省略した駆動装置により、回転軸１０７を中心に矢印Ｘ方向へ所定速度で回転駆動される。この加圧ローラ１０３が回転すると、これに接触する定着ベルト１０２が連れ回り式に矢印Ｙ方向へ回転する。これら定着ベルト１０２と加圧ローラ１０３との隙間が記録紙Ｓを挟圧する定着ニップ部１１０となっている。
【００２５】
記録紙Ｓは、画像が転写された記録媒体であり、前記定着ニップ部１１０の手前側から該ニップ部に送り込まれ、矢印Ｚ方向に搬送される。この定着ニップ部１１０の手前側と後側には、記録紙Ｓの移動を案内する搬送ガイド１１１，１１２が設けられている。また、ニップ部１１０の手前側には、記録紙Ｓの先端を検出する先端検知手段（光電センサ）１１５が設けられている。
【００２６】
定着ニップ部１１０の後側、すなわち記録紙Ｓの搬送方向下流側には、前記定着ベルト１０２の外周面に接触してこれを内側へ押圧し、当該定着ベルト１０２を正規の円周軌跡（図の鎖線）から内側へ凹ませる変形装置１２０と、前記ニップ部１１０から送り出されてくる記録紙Ｓと定着ベルト１０２との間に挿入されて、該記録紙Ｓを定着ベルトから外れる方向に案内する分離案内装置１２２が設けられている。
【００２７】
変形装置１２０は、機枠に固定された上下方向のソレノイド１２５を備え、そのロッド１２５ａ先端部に支持部材１２７が軸１２６により取り付けられている。この支持部材１２７に押圧部材としての回転体（ローラ）１３０が軸１２９により回転自在に支持されている。前記ソレノイド１２５が伸長すると、回転体１３０が定着ベルト１０２に接触し、該定着ベルト１０２の円周軌跡内へ嵌り込むように移動して、定着ベルト１０２によって従動回転しながら当該定着ベルト１０２を凹ませる（図３）。このとき、定着ベルト１０２の凹み部分１０２ａは、前記バックアップ部材１０４の直線部１０４ｂに摺接し、平面状となる。前記ソレノイド１２５が収縮すると、回転体１３０が引き上げられ、定着ベルト１０２の外周面に接触しなくなるので、定着ベルト１０２は元の断面円形に復帰する（図２）。
【００２８】
分離案内装置１２２は、第二のソレノイド１３３を備え、該ソレノイド１３３のロッド１３３ａの先端部に概略楔状の先端部を有する爪状の分離部材１３５が取り付けられている。この分離部材１３５は、第二のソレノイド１３３の伸縮により、定着ベルト１０２に対し接近、離反するが、定着ベルト１０２に接近した状態でも、その先端部１３５ａは、回転体１３０によって凹まされた部分１０２ａに接触せず、該定着ベルト１０２の円周軌跡内で、該定着ベルト１０２の凹まされた外周面近傍に位置するようになっている。
【００２９】
図５は、上記と若干異なる実施形態を表すもので、この実施形態では、分離案内装置１２２の第二のソレノイド１３３を設ける代わりに、図５に示すように、上記変形装置１２０のソレノイド１２５のロッド１２５ａに分離部材１３５をフレーム１４０で連結されている。この実施形態では、ソレノイド１２５が伸縮するとき、分離部材１３５が回転体１３０と一体となって上下に移動する。このように構成すると、第二のソレノイド１３３が不要となるので、構造が簡単でコストも安くなる。
【００３０】
上記変形装置１２０と分離案内装置１２２は、記録紙Ｓの幅方向中央部に１組だけ設けておいてもよいが、複数組、例えば定着ベルト１０２の中央部とその両側にそれぞれ、計３組設けておくこともできる。
【００３１】
次に、上記本発明に係る定着装置１００における変形装置１２０と分離案内装置１２２の動作について説明する。これら変形装置１２０と分離案内装置１２２の動作には、待機状態（第一モード）と作動状態（第二モード）とがある。前記待機状態はソレノイド１２５，１３３が収縮した状態であり、図２に示すように、回転体１３０が上方にあって定着ベルト１０２に接触せず、当該定着ベルト１０２が断面円周形状となっていて、かつ分離部材１３５が定着ベルト１０２の円周よりも外側の位置（デフォルト位置）に待機した状態となっている。
【００３２】
また、前記作動状態は、両ソレノイド１２５，１３３が伸長した状態であり、図３に示すように、回転体１３０が定着ベルト１０２に接触し、その外周面を押圧して平面状に凹ました変形状態となるとともに、分離部材１３５が当該定着ベルト１０２の本来の円周軌跡（鎖線）の内側へ嵌り込んで、凹んだ定着ベルト部分１０２ａ近傍に位置した状態となる。
【００３３】
上記待機状態と作動状態の切り替えの方式としては、次のようなものがある。まず、第一の方式Ａは、先端検知手段（光電センサ）１１５が記録紙Ｓの先端を検出すると、記録紙Ｓがニップ部１１０を通過して分離位置に到達するまでの間に、待機状態（第一モード）から作動状態（第二モード）へ切り替える方式である。
【００３４】
この切り替え方式には、方式Ａ−１と方式Ａ−２の２種類がある。方式Ａ−１は、最初に作動状態に切り替えてから、予め設定した所定枚数の記録紙Ｓが通過するまで作動状態（第二モード）を維持し、設定枚数（例えば１０枚）が通過すると再度待機状態（第一モード）に復帰させる方式である。この方式Ａ−１では、設定枚数が定着ベルト１０２と加圧ローラ１０３との間を通過するまで、変形装置１２０と分離案内装置１２２とが作動状態に保たれ、その後待機状態に復帰する。また、方式Ａ−２は、１枚の記録紙Ｓが通過する度に作動状態と待機状態とを繰り返す方式である。この方式Ａ−２は、記録紙Ｓの先端を先端検知手段１１５が検知すると、変形装置１２０と分離案内装置１２２とが作動位置に移行し、当該検知された１枚の記録紙Ｓが定着ベルト１０２と加圧ローラ１０３との間を通過すると、再度待機状態に復帰する。
【００３５】
一方、上記のように、記録紙Ｓが送り込まれると必ず作動状態（第二モード）に移行させる方式Ａの代わりに、第二の方式Ｂを採用することもできる。この方式Ｂは、記録紙Ｓの印字画像情報と前記先端検知手段１１５の検知結果に基づいて待機状態（第一モード）と作動状態（第二モード）とを切り替える方式であり、記録紙Ｓの印字率、特に先端部分の印字率が高い場合は、トナーの量が多く分離しにくくなり、印字率が低い場合は比較的分離し易いことを考慮したものである。すなわち、先端検知手段１１５が記録紙Ｓの先端を検知し、かつ印字率が所定の値よりも高い場合にのみ押圧部材１３０と分離部材１３５を作動状態に切り替え、印字率がそれよりも低い場合は、先端検知手段１１５が記録紙を検知しても待機状態（第一モード）のままで維持する。なお、印字率を検知する印字率検知手段としては、画像形成装置１のＣＣＤカメラを利用することができ、当該ＣＣＤカメラからの画像信号に基づいて印字率を簡単に求めることができる。なお、上記作動方式の選択については、実際の各種条件に応じて適宜判断すればよい。
【００３６】
図６は、上記変形装置１２０と分離案内装置１２２とを作動させる制御装置を表すもので、ＣＣＤカメラと、先端検知手段１１５と、タイマーＴからの信号がＣＰＵに入力され、当該ＣＰＵから変形装置１２０と分離案内装置１２２に作動信号が出力されるようになっている。図中のＲは、上記作動方式を切り替えるスイッチである。先端検知手段１１５による記録紙Ｓ先端の検知によって変形装置１２０と分離案内装置１２２とが実際に切り替えられるタイミングは、制御装置に設けたタイマーＴで設定することができる。このようなタイマーを設ける代わりに、定着ニップ部１１０の出口側にも記録紙Ｓを検知する検知手段を設けておき、その検知によって切り替えるようにしてもよい。なお、待機状態への復帰のタイミングは、記録紙Ｓが定着ベルト１０２と加圧ローラ１０３との間を完全に通過しなくても、当該記録紙Ｓが定着ベルト１０２に巻き付くおそれがなくなった状態まで搬送されたときに復帰させるようにしてもよい。
【００３７】
つぎに、図示例の上記画像形成装置１の動作について説明する。この画像形成装置１は、感光ドラム２の周速と転写ベルト３の移動速度が同じになるように同期させて駆動しつつ、主帯電器４で感光ドラム２の表面に均一に帯電させる。そして、レーザ照射装置５により、所定の画像に対応するようにＯＮ−ＯＦＦするレーザ光で感光ドラム表面を走査し、画像信号に対応した帯電状態の潜像を感光ドラム表面に形成する。
【００３８】
潜像を形成した部分は、感光ドラム２の回転とともに現像器７の位置に達し、そこでトナーが全面に供給されるが、このトナーは、帯電している部分では感光ドラム表面に静電付着し、帯電していない部分では付着しない。
【００３９】
一方、転写材である記録紙Ｓは、上記動作と同期するように転写ベルト３上に供給される。この記録紙Ｓは、トナー像がその上にうまく転写されるように、ベルト帯電器１８によって帯電されたベルト３に静電吸着された状態で、感光ドラム２の回転と同期させて送り込まれる、感光ドラム２と転写ベルト３に挟まれる転写部Ｔでは、当該記録紙Ｓの所定場所にトナー像が転写される。この転写部Ｔでは、上記バイアス印加用転写ローラ１５によって逆極性の電荷が付与されるので、感光ドラム２上のトナー像は、当該感光ドラム２の表面から記録紙Ｓ表面に転写されるのである。
【００４０】
画像が転写された記録紙Ｓは、そのまま転写ベルト３により矢印Ｂ方向に送られるが、駆動ローラ１２の手前で除電器１９によって転写ベルト３が除電されるので、記録紙Ｓは転写ベルト３に吸着されなくなり、該転写ベルト３が下向きに移動方向を変える分離位置で該転写ベルト３から分離するのである。転写ベルト３から分離した記録紙Ｓは、本発明の定着装置１００に送られる。
【００４１】
定着装置１００に供給される記録紙Ｓは、入口側の搬送ガイド１１１上を通って、定着ベルト１０２と加圧ローラ１０３で挟まれる定着ニップ部１１０に送り込まれ、圧力と熱が加えられる。この記録紙Ｓは、定着ニップ部１１０の手前でその先端が検知手段１１５によって検知される。分離装置１２０と案内装置１２２の動作方式が上記方式ＡのうちＡ−１に設定されている場合は、上記検知手段１１５が最初の記録紙Ｓを検出すると、回転体１３０と分離部材１３５とが待機状態の第一モードから作動状態の第二モードに移行し、最初の記録紙Ｓから予め設定した枚数（例えば１０枚）がすべて定着ニップ部１１０を通過するまで、回転体１３０と分離部材１３５がそのまま作動状態すなわち第二モードの位置に保持される。ニップ部１１０を通過した記録紙Ｓは、ニップ部１１０で加圧と加熱が行われるため、トナーが記録紙Ｓにしっかりと付着し、定着が完了している。設定枚数の記録紙Ｓがニップ部１１０を通過すると、回転体１３０と分離部材１３５が待機状態の第一モードに復帰する。
【００４２】
分離装置１２０と案内装置１２２の動作方式が上記方式Ａ−２に設定されている場合は、先端検知手段１１５が記録紙Ｓの先端を検知すると、回転体１３０と分離部材１３５とが作動位置に移動し、当該記録紙Ｓがニップ部１１０を通過し終ると、両者が元の待機位置に復帰する。
【００４３】
分離装置１２０と案内装置１２２の操作方式が上記方式Ｂに設定されている場合は、先端検知手段１１５が記録紙Ｓの先端を検知しただけでは作動状態（第二モード）とはならず、記録紙先端部の印字率が設定値よりも高く、かつ先端検知手段１１５が記録紙Ｓの先端を検知した時にはじめて作動位置に移行する。印字率が設定値よりも低い場合は、回転体１３０と分離部材１３５とが待機位置にとどまっているので、無駄な動作が少なく、その分だけ耐久性が向上する。上記作動状態に移行した場合も、当該記録紙Ｓが定着ニップ部１１０を通過すると、待機状態に復帰する。
【００４４】
この定着装置１００は、定着ベルト１０２の外周面を凹ます押圧部材（回転体）１３０と、該押圧部材１３０によって凹まされた定着ベルト１０２の凹み部分の近傍に先端部が位置して、記録紙Ｓを定着ベルト１０２から離れる方向に案内する分離部材１３５とを備えているので、記録紙Ｓが定着ベルト１０２に巻き付くことを効果的に防止できるのである。定着ベルト１０２を外側から内側へ押圧する押圧部材１３０と、定着ベルト１０２に接触しない分離部材とで構成され、しかも記録紙が送り込まれる時にのみ作動状態に移行する構成であるから、構造的に簡単であり、耐久性も優れたものである。
【００４５】
なお、設計によっては、分離部材１３５を設けず、押圧部材１３０で記録紙Ｓの出口側の定着ベルト部分を凹ますだけでも、記録紙Ｓの巻き付きを防止できる場合が多いが、図示例のように、分離部材１３５を設けて、押圧部材１３０と協働させるようにしておく方がより効果的である。
【産業上の利用可能性】
【００４６】
本発明に係る定着装置は、電子写真方式による複写機、プリンタ、ファクシミリ等の画像形成装置の定着装置として効果的に利用することができる。
【図面の簡単な説明】
【００４７】
【図１】本発明の一実施形態における画像形成装置の概略を模式的に表す正面図である。
【図２】上記実施形態において、待機状態における定着装置の構成を模式的に表す正面図である。
【図３】上記実施形態において、作動状態に置ける定着装置の構成を模式的に表す正面図である。
【図４】上記実施形態における定着装置の斜視図である。
【図５】本発明の上記と異なる実施形態を模式的に表す正面図である。
【図６】本発明の実施形態の定着装置の制御装置のブロック図である。
【符号の説明】
【００４８】
１   画像形成装置
２   感光ドラム（像担持体）
３   転写ベルト
４   主帯電器
５   レーザ照射装置
７   現像器
１２   駆動ローラ
１３   従動ローラ
１５   バイアス印加用転写ローラ
１００   定着装置
１０２   定着ベルト
１０３   加圧部材（加圧ローラ）
１１０   ニップ部
１２０   変形装置
１２２   分離案内装置
１２５   第一のソレノイド
１３０   回転体（押圧部材）
１３３   第二のソレノイド
１３５  分離部材
【図１】
0004746425.tif 000002
【図２】
0004746425.tif 000003
【図３】
0004746425.tif 000004
【図４】
0004746425.tif 000005
【図５】
0004746425.tif 000006
【図６】
0004746425.tif 000007